(57)【要約】ディスク状記憶媒体（１０）用の挿入部（５）を備えた形式のドライブ機構（１）が、前記ディスク状記憶媒体（１０）の再生領域の損傷を防止するために提案される。挿入部（５）は、記憶媒体（１０）の挿入方向（２５）に回転軸線（２０）を有する螺条ロッド（１５）を備えている。該螺条ロッドの螺条溝（３０）は、挿入部（５）へ導入された記憶媒体の周縁域（３５）と協働して、該記憶媒体（１０）を前記螺条ロッド（１５）の回転によって回転方向（４０）に応じてドライブ機構（１）内へ引込むか又は該ドライブ機構（１）外へ押出すようにした。
2004519065.tif 000002
【特許請求の範囲】
【請求項１】
ディスク状記憶媒体（１０）用の挿入部（５）を備えた形式のドライブ機構（１）において、挿入部（５）が、記憶媒体（１０）の挿入方向（２５）に回転軸線（２０）を有する螺条ロッド（１５）を備え、かつ該螺条ロッドの螺条溝（３０）が、挿入部（５）へ導入された記憶媒体の周縁域（３５）と協働して、該記憶媒体（１０）を前記螺条ロッド（１５）の回転によって回転方向（４０）に応じてドライブ機構（１）内へ引込むか又は該ドライブ機構（１）外へ押出すようにしたことを特徴とする、ドライブ機構。
【請求項２】
ドライブ機構（１）の内部への記憶媒体（１０）の押込み時又はドライブ機構（１）の外部への記憶媒体（１０）の押出し時に、螺条ロッド（１５）を記憶媒体（１０）の周縁域（３５）に直接係合させるように、螺条溝（３０）のリードが記憶媒体（１０）の半径（４５）に比例して選ばれている、請求項１記載のドライブ機構（１）。
【請求項３】
雌ねじ山を有する案内エレメント（５０）が設けられており、該案内エレメント（５０）が螺条ロッド（１５）にかぶさって螺合しておりかつ該螺条ロッド（１５）の回転によって該螺条ロッドに沿って運動可能であり、前記案内エレメント（５０）が、移送すべき記憶媒体（１０）の周縁域（３５）の一部分を受容する収容部（５５）を有しており、該収容部に基づいて記憶媒体（１０）が、前記螺条ロッド（１５）の回転により前記案内エレメント（５０）を介して回転方向（４０）に応じてドライブ機構（１）内へ引込まれ、或いは該ドライブ機構から押出されるようになっている、請求項１記載のドライブ機構（１）。
【請求項４】
収容部（５５）が、移送すべき記憶媒体（１０）に対面した凹み（６０）を有し、該凹みが、記憶媒体（１０）の周縁域（３５）の一部分を形状嵌合式に囲む、請求項３記載のドライブ機構（１）。
【請求項５】
収容部（５５）が、該収容部（５５）に記憶媒体（１０）を位置決めするために、少なくとも１つの第１位置決めエレメント（６５，７５）を有している、請求項４記載のドライブ機構（１）。
【請求項６】
少なくとも１つの第１位置決めエレメント（６５，７５）が収容部（５５）に回転可能に支承されている、請求項５記載のドライブ機構（１）。
【請求項７】
少なくとも１つの第１位置決めエレメント（６５，７５）が収容部（５５）の一端に配置されている、請求項５又は６記載のドライブ機構（１）。
【請求項８】
案内エレメント（５０）が奥行制限エレメント（８０）を有しており、該奥行制限エレメントが、ドライブ機構（１）の挿入口（８５）から離反した方の収容部（５５）の側に、該収容部（５５）を超えて記憶媒体（１０）の押込むのを阻止するように配置されている、請求項３から７までのいずれか１項記載のドライブ機構（１）。
【請求項９】
奥行制限エレメント（８０）が、該奥行制限エレメントに記憶媒体（１０）を位置決めするために少なくとも１つの第２位置決めエレメント（７０）を有している、請求項８記載のドライブ機構（１）。
【請求項１０】
少なくとも１つの第２位置決めエレメント（７０）が、奥行制限エレメント（８０）に回転可能に支承されている、請求項９記載のドライブ機構（１）。
【請求項１１】
少なくとも１つの第２位置決めエレメント（７０）が、奥行制限エレメント（８０）の一端に配置されている、請求項９又は１０記載のドライブ機構（１）。
【請求項１２】
ドライブ機構（１）が１条の案内レール（９０）を有しており、ドライブ機構（１）の内部への記憶媒体（１０）の押込み時又はドライブ機構（１）の外部への記憶媒体（１０）の押出し時に記憶媒体（１０）の周縁域（３５）が、螺条ロッド（１５）から離反した方の記憶媒体側に沿って、前記案内レール（９０）内を案内されている、請求項１から１１までのいずれか１項記載のドライブ機構（１）。
【請求項１３】
少なくとも１つのばねエレメント（９５，１００）が設けられており、該ばねエレメントが、ドライブ機構（１）の内部への記憶媒体（１０）の押込み時又はドライブ機構（１）の外部への記憶媒体（１０）の押出し時に、案内レール（９０）を記憶媒体に螺条ロッド（１５）の方に向かって圧着する、請求項１２記載のドライブ機構（１）。
【発明の詳細な説明】
【０００１】
技術分野：
本発明は、独立請求項に発明の上位概念として規定したように、ディスク状記憶媒体用の挿入部を有する形式のドライブ機構に関する。
【０００２】
背景技術：
例えばＣＤプレイヤーとして構成されたドライブ機構はすでに公知であり、該ドライブ機構は、ディスク状記憶媒体用、例えばＣＤ用の挿入部を有している。このような挿入部は通常、少なくとも１本のローラを有するローラ式挿入部として構成されており、該ローラは、再生すべき記憶媒体をドライブ機構内へ引込み或いは該ドライブ機構外へ押出すように働く。
【０００３】
発明の開示：
独立請求項の特徴部に記載した構成手段を有する本発明のドライブ機構は、挿入部が、記憶媒体の挿入方向に回転軸線を有する螺条ロッドを備え、かつ該螺条ロッドの螺条溝が、挿入部へ導入された記憶媒体の周縁域と協働して、該記憶媒体を前記螺条ロッドの回転によって回転方向に応じてドライブ機構内へ引込むか又はドライブ機構外へ押出すようにした点を特徴としている。このようにして従来技術に対比して、ディスク状記憶媒体が、記憶データを有する再生域に負荷をかけること無く、記憶媒体の周縁域の側縁のみを介してドライブ機構内へ引込まれ、或いは該ドライブ機構外へ押出されるという利点が得られる。従って、従来技術においてローラによる引込み時又は押出し時に発生するような、ダスト粒子又は汚染粒子による記憶媒体の再生域の損傷が防止され、しかもこのために構造上の高い経費が必要になることもない。
【０００４】
独立請求項に記載したドライブ機構の有利な実施形態及び更なる改良は、従属請求項に記載した構成手段によって得られる。
【０００５】
螺条溝のリードは、ドライブ機構の内部への記憶媒体の押込み時又はドライブ機構の外部への記憶媒体の押出し時に、螺条ロッドを記憶媒体の周縁域に直接係合させるように、記憶媒体の半径に比例して選ばれているのが特に有利である。このように構成すると、ドライブ機構の内部への押込み時又はドライブ機構の外部への押出し時に、構造的に最低限の経費でディスク状記憶媒体の正確な位置決めが可能になる。それというのは記憶媒体が、その側縁が螺条ロッドの螺条溝に直接接触することに基づいて特定姿勢で位置するからである。更にこのようにすれば係合式の動力伝達が得られる。
【０００６】
また雌ねじ山を有する案内エレメントが設けられており、該案内エレメントは螺条ロッドにかぶさって螺合しておりかつ該螺条ロッドの回転によって該螺条ロッドに沿って運動可能であり、前記案内エレメントは、移送すべき記憶媒体の周縁域の一部分を受容する収容部を有しており、該収容部に基づいて記憶媒体が、前記螺条ロッドの回転により前記案内エレメントを介して回転方向に応じてドライブ機構内へ引込まれ、或いは該ドライブ機構から押出されるようになっているのが特に有利である。
【０００７】
このようにすれば、ドライブ機構の内部への記憶媒体の押込み時又はドライブ機構の外部への記憶媒体の押出し時に、同じく係合式の動力伝達が可能になる。更にまた、このように構成すると、ドライブ機構の内部への押込み時又はドライブ機構の外部への押出し時に記憶媒体の正確な位置決めも可能になる。それというのは記憶媒体は収容部によって特定姿勢に保つことができるからである。
【０００８】
収容部を使用することによって得られる更なる利点は、収容部が適当にずらして案内エレメントに配置されている場合には、記憶媒体の最広幅部位が、螺条ロッドの端部を超えても移動できる点にある。収容部はその場合、ドライブ機構の機器キャップ内へ進入させられ、かつ記憶媒体をドライブ機構から更に押出すことを可能にする。また視点を変えれば記憶媒体は、更に押込むために収容部によって捕捉されるまでに要する行程、つまり使用者が記憶媒体をドライブ機構内へ押込む所要距離が短くなる。従って使用者にとっての操作快適性が高められる。
【０００９】
収容部が、該収容部に記憶媒体を位置決めするために、少なくとも１つの第１位置決めエレメントを有している場合には、更なる利点が得られる。このようにすれば、収容部からの記憶媒体の滑落が防止される。
【００１０】
少なくとも１つの位置決めエレメントが収容部に回転可能に支承されている場合には、更なる利点が得られる。このように構成すれば、ドライブ機構の内部又は外部へ記憶媒体を移送する際の摩擦力が低減される。記憶媒体が円形周面を有している場合には特に、該記憶媒体は、ドライブ機構の内部又は外部への移送時に回転運動を行い、従って滑り摩擦によってではなく、転がり摩擦によってドライブ機構の内部又は外部へ移送されることになる。
【００１１】
案内エレメントが奥行制限エレメントを有しており、該奥行制限エレメントが、ドライブ機構の挿入口から離反した方の収容部の側に、該収容部を超えて記憶媒体の押込むのを阻止するように配置されている場合には、更なる利点が得られる。このように構成すると、記憶媒体が、ドライブ機構内へ過度に深く押込まれることはなく、かつ、収容部によって規定された本来の捕捉位置を超えて奧に達することはない。
【００１２】
ドライブ機構は１条の案内レールを有しており、ドライブ機構の内部への記憶媒体の押込み時又はドライブ機構の外部への記憶媒体の押出し時に記憶媒体の周縁域が、螺条ロッドから離反した方の記憶媒体側に沿って、前記案内レール内を案内されているのが特に有利である。このようにすれば、ドライブ機構の内部又は外部への移送時に記憶媒体の直線運動が保証される。
【００１３】
更なる利点を得るために、少なくとも１つのばねエレメントが設けられており、該ばねエレメントは、ドライブ機構の内部への記憶媒体の押込み時又はドライブ機構の外部への記憶媒体の押出し時に、案内レールを記憶媒体に螺条ロッドの方に向かって圧着するようになっている。このようにすれば記憶媒体は、案内レールと螺条ロッドもしくは該螺条ロッドに沿ってシフト可能な案内エレメントとによって、特定位置にクランプされる。
【００１４】
発明を実施するための最良の形態：
次に図面に基づいて本発明の実施例を詳説する。
【００１５】
図１において符号１は、ディスク状記憶媒体１０を再生又は記録するためのドライブ機構である。該ドライブ機構１は例えばＣＤ（コンパクト・ディスク）プレイヤー、ＭＤ（ミニ・ディスク）プレイヤー、ＤＶＤ（ディジタル・ビデオ・ディスク）プレイヤー、ＣＤ変換器、ＭＰ３プレイヤー（ ＭＰＥＧ Ｌａｙｅｒ ３ ， ＭＰＥＧ ＝  Ｍｏｔｉｏｎ Ｐｉｃｔｕｒｅ Ｅｘｐｅｒｔ Ｇｒｏｕｐ）等々である。その場合ディスク状記憶媒体１０は、前記プレイヤーに相応してＣＤ、ＭＤ、ＤＶＤ、ＭＰ３ディスクなどである。記憶媒体１０は本実施例では、円形周辺を有している。但しこの円形周辺は、本発明を実現するために絶対的に必要不可欠という訳ではない。ドライブ機構１は挿入口８５を有し、該挿入口を介して記憶媒体１０はドライブ機構１内へ導入され、或いは該ドライブ機構１から押出される。更に該ドライブ機構１は、記憶媒体１０の挿入方向２５に位置する、従ってドライブ機構１の挿入口８５に対して垂直に位置する回転軸線２０を有する螺条ロッド１５を備えている。該螺条ロッド１５の螺条は１つの螺条溝３０によって特定されている。螺条ロッド１５はモータで駆動可能であり、その場合モータは螺条ロッド１５をその回転軸線２０を中心として相反する２つの回転方向４０に回動することができる。螺条ロッド１５は、挿入口８５の一端に配置されている。該螺条ロッド１５に平行に、かつ挿入口８５の他端で前記螺条ロッドに対向して、ドライブ機構１は案内レール９０を有している。該案内レール９０は、第１のばねエレメント９５と第２のばねエレメント１００を介して、ドライブ機構１の基体と結合されており、しかも両ばねエレメント９５，１００は、前記案内レール９０を螺条ロッド１５へ向かって押圧できるようにするために、案内レール９０の、螺条ロッド１５から離反した方の側に配置されている。第１のばねエレメント９５と第２のばねエレメント１００に代えて、ただ１つのばねエレメント或いは３つ以上のばねエレメントを相応の形式で設けることも可能である。しかし少なくとも２つのばねエレメントを使用することによって、両ばねエレメント９５，１００を、図１に示したように案内レール９０の両端に配置した場合には特に、ドライブ機構１内における案内レール９０の格別安定した支承が得られる。図１では螺条ロッド１５及び案内レール９０は、第１のばねエレメント９５及び第２のばねエレメント１００と相俟って、記憶媒体１０用の１つの挿入部５を形成している。
【００１６】
螺条ロッド１５からの案内レール９０の距離は、ほぼ記憶媒体１０の幅に等しく、要するに図１に示したように円形周辺を有する記憶媒体１０の場合には該記憶媒体１０の直径に等しい。記憶媒体１０を確実にかつ規定位置でドライブ機構１内へ引込み、或いはドライブ機構１外へ押出せるようにするために、案内レール９０と螺条ロッド１５との間隔は、記憶媒体１０の直径よりも僅かに小である。それ故に挿入口８５を介して記憶媒体１０をドライブ機構１内へ導入する際、案内レール９０は差し当たって螺条ロッド１５からやや押し離される。従って記憶媒体１０は一側では案内レール９０に、他側では螺条ロッド１５の螺条溝３０に係合する。その場合螺条溝３０のリードは、記憶媒体１０の半径４５に対して、記憶媒体１０の周縁域３５、要するに記憶媒体１０の側縁が螺条溝３０の１つのワインディングに直接係合できるように選ばれねばならない。いま螺条ロッド１５が回転軸線２０を中心として左回りに回動されると、記憶媒体１０はその周縁域３５を介して螺条ロッド１５によってドライブ機構１の内部へ引込まれる。螺条ロッド１５に対向した方の側で記憶媒体１０の周縁域３５は案内レール９０内を案内されており、該案内レールは、両ばねエレメント９５，１００に基づいて記憶媒体１０を螺条ロッド１５に圧着し、従ってドライブ機構１の規定位置への記憶媒体１０の確実な押込みを可能にする。このようにして記憶媒体１０はドライブ機構１の記録位置又は再生位置へ正確にもたらされる。ドライブ機構１からの記憶媒体１０の押出しは、相応に逆の形式で行われ、しかもこの場合は螺条ロッド１５は回転軸線２０を中心として右回りに回動される。従って記憶媒体１０は、ドライブ機構１内への搬送時又はドライブ機構１からの搬送時に螺条ロッド１５によって係合され、しかも案内レール９０が記憶媒体１０の直線運動を保証する。
【００１７】
図２に示した本発明の第２実施例でも、図１と同等の構成エレメントには、同一の符号が付されている。図１に示した第１実施例とは異なって、図２に示した第２実施例では記憶媒体１０は、その周縁域もしくはその側縁３５が螺条ロッド１５に直接係合することによってドライブ機構１内へ搬入又はドライブ機構外へ搬出されるのではなくて、雌ねじ山をもって螺条ロッド１５に螺合されていて回転軸線２０を中心とする該螺条ロッド１５の回動によって螺条ロッド１５に沿って運動可能な案内エレメント５０を介して記憶媒体１０は搬入・搬出されるのである。このために前記案内エレメント５０は、記憶媒体１０の側縁３５の一部分を受容する収容部５５を有している。従ってドライブ機構１内又はドライブ機構外への記憶媒体１０の搬入・搬出は、記憶媒体１０が螺条ロッド１５に直接には係合せず、収容部５５を介して螺条ロッドに間接的に係合する点を除けば、原理的には、第１実施例の場合と同等の方式で行われる訳である。回転軸線２０を中心とする螺条ロッド１５の左回り回動によって、案内エレメント５０は収容部５５と共に、従って記憶媒体１０と共にドライブ機構１の内部へ動かされる。回転軸線２０を中心とする螺条ロッド１５の右回り回動時には、案内エレメント５０は収容部５５と共に、従って記憶媒体１０と共にドライブ機構１の外部へ動かされる。なお図２には、挿入口８５を囲む機器キャップ１０５が図示されている。また図２では案内レール９０は機器キャップ１０５内へ侵入している。ところで収容部５５が案内エレメント５０に沿って挿入口８５寄りにシフトされており、かつ、図２には図示しなかったが、前記案内エレメント５０に対して対称的に配置されている場合には、螺条ロッド１５に直接係合する場合よりも更に記憶媒体１０を挿入口８５から押出すことが可能になる。
【００１８】
挿入口８５寄り方向にずらして案内エレメント５０に配置された収容部５５は、図３に示した第３実施例に基づいて容易に推考することができる。
【００１９】
記憶媒体１０を螺条ロッド１５に直接係合させる場合には、記憶媒体１０の最広幅部位が、螺条ロッド１５の、挿入口８５寄り端部に到達した時には、押出し動作は終了している。しかしながら挿入口８５寄り方向に案内エレメント５０に対して相応にずらして収容部５５を配置した場合には、記憶媒体１０の最広幅部位が、螺条ロッド１５の、挿入口８５寄り端部を挿入口８５の方向に通過しても、記憶媒体１０を、なお収容部５５及び案内レール９０によって搬送することが可能になる。これとは逆に記憶媒体１０を押込む場合には、該記憶媒体は、挿入部５もしくは案内レール９０及び収容部５５によって早期に、しかも記憶媒体１０の最広幅部位が、螺条ロッド１５の、挿入口８５寄り端部を通過する以前に、把持される。従ってドライブ機構１内への導入もしくはドライブ機構１からの取出しが、使用者にとって格別快適になる。
【００２０】
収容部５５はその場合、ドライブ機構外もしくはドライブ機構内へ記憶媒体１０をこのように一層快適に取出しもしくは挿入できるようにするために、収容部５５を同じく機器キャップ１０５内へ移送することも可能である。
【００２１】
収容部５５は、図２に示した第２実施例では、記憶媒体１０の側縁３５の一部分を係合式に包囲する、記憶媒体１０に対面した１つの凹み６０を有するように形成されている。従って該凹み６０は円弧状の制限面を有し、該制限面の曲率半径は、記憶媒体１０の半径４５に等しい。
【００２２】
ところで収容部５５が、該収容部５５に記憶媒体１０を位置決めするために少なくとも１つの位置決めエレメントを付加的に有することもできる。このようにすれば記憶媒体１０は、ドライブ機構１の内部又は外部への移送時における記憶媒体１０の収容部５５からの滑落を防止することが可能になる。図２によれば第１位置決めエレメント６５及び第３位置決めエレメント７５が設けられており、各位置決めエレメントは、収容部５５の、記憶媒体１０に対面した両端部にそれぞれ配置されている。その場合、両位置決めエレメント６５，７５は収容部５５にばね支承されているので、収容部５５内への記憶媒体１０の挿入時に両位置決めエレメントは先ずばねを緊縮し、記憶媒体１０が収容部５５内へもたらされると、次いで案内レール９０の方に該記憶媒体を押圧する。両位置決めエレメント６５，７５によって、かつ案内レール９０に記憶媒体１０を支承することによって、記憶媒体１０は、安定した３点支承で特定位置に保持され、かつドライブ機構１の内部もしくは外部へ移送される。
【００２３】
ところで図２の実施例によれば付加的に、少なくとも１つの位置決めエレメントもしくは両位置決めエレメント６５，７５を、収容部５５に沿って回動可能に支承しておくことも可能である。このようにすれば、ドライブ機構１の内部もしくは外部への記憶媒体１０の移送時の摩擦力が低下する。案内レール９０及び位置決めエレメント６５，７５における記憶媒体１０の滑り摩擦はその場合、転がり摩擦になる。位置決めエレメント６５，７５は場合によっては、円形周面を有するように形成することもできる。
【００２４】
図３に示した第３実施例においても、先行図面に図示したのと同等の構成要素には同一の符号を付した。その場合、図３に示した第３実施例は、搬送メカニズムに関して並びに案内エレメント５０と収容部５５の使用に関しては、図２に示した第２実施例が基礎となっている。もっとも図３に示した第３実施例では案内エレメント５０は、奥行制限エレメント８０を付加的に有しており、該奥行制限エレメントは、収容部５５の、ドライブ機構１の挿入口８５から離反した方の側に配置されている。図３によれば奥行制限エレメント８０は、螺条ロッド１５及び案内レール９０に対して直角に延在するウェブとして形成されており、該ウェブの長さは、螺条ロッド１５と案内レール９０との間隔の約半分に相当する。図３では奥行制限エレメント８０は、前記間隔の半分よりも幾分長い。図３に示した第３実施形態によれば前記奥行制限エレメント８０は、案内エレメント５０の一端に配置されている。他端には、従って挿入口８５の方にずらして、収容部５５が案内エレメント５０に配置されている。従って収容部５５と奥行制限エレメント８０との間の間隔は、記憶媒体１０の半径４５にほぼ相当する。その場合、前記半径４５は、螺条ロッド１５に被さる案内エレメント５０の長さにほぼ等しい。この構成によって、記憶媒体１０が収容部５５を超えてドライブ機構１の内部へ侵入するのを防止することができる。更なる侵入は、奥行制限エレメント８０によってブロックされる。
【００２５】
図３によれば奥行制限エレメント８０は、該奥行制限エレメント８０に沿って記憶媒体１０を位置決めするために単数又は複数の位置決めエレメントを有することもできる。図３によれば奥行制限エレメント８０はこの場合、案内エレメント５０から離反した方の端部に第２位置決めエレメント７０を有しており、該第２位置決めエレメントは、図２の第２実施例について説明したのと同様に、記憶媒体１０に押圧するために、奥行制限エレメント８０にばね支承することができる。図３によればこの場合、収容部５５には１つの位置決めエレメントしか配置されていず、つまり第１位置決めエレメント６５が、収容部５５の、挿入口８５寄り端部に配置されている。従って図３に示した第３実施形態では記憶媒体１０は、第１位置決めエレメント６５と第２位置決めエレメント７０と案内レール９０とによって、安定した３点支承で保持され、こうして規定の位置でドライブ機構１の内部もしくは外部へ移送される。第２位置決めエレメント７０が奥行制限エレメント８０に回転可能に支承されており、かつ第１位置決めエレメント６５が収容部５５に回転可能に支承されている場合には、図２の第２実施例について既に説明した転がり摩擦を、ドライブ機構１の内部又は外部への記憶媒体１０の移送時に得ることが可能である。
【００２６】
また第２位置決めエレメント７０は例えば円形周面を有することもできる。また図３に示した第３実施形態の場合も、第１位置決めエレメント６５に加えて、或いは第１位置決めエレメント６５とは択一的に、第３位置決めエレメント７５を、図２において説明したように、収容部５５の、挿入口８５から離反した方の端部に配置しておくことも可能である。
【００２７】
本発明のドライブ機構１は、構造的に複雑でなく、従ってスペースを節減して構成できるので、例えば自動車に搭載して使用するのに特に適している。
【図面の簡単な説明】
【図１】
本発明のドライブ機構の第１実施形態の概略図である。
【図２】
本発明のドライブ機構の第２実施形態の概略図である。
【図３】
本発明のドライブ機構の第３実施形態の概略図である。
【符号の説明】
１    ドライブ機構、  ５    挿入部、  １０    ディスク状記憶媒体、  １５    螺条ロッド、  ２０    回転軸線、  ２５      挿入方向、  ３０    螺条溝、  ３５    周縁域もしくは側縁、  ４０    回転方向、  ４５    記憶媒体の半径、  ５０    案内エレメント、  ５５    収容部、  ６０    凹み、  ６５    第１位置決めエレメント、  ７０    第２位置決めエレメント、  ７５    第３位置決めエレメント、  ８０    奥行制限エレメント、  ８５    挿入口、  ９０    案内レール、  ９５    第１のばねエレメント、  １００    第２のばねエレメント、  １０５    機器キャップ
【国際公開パンフレット】
2004519065.tif 000003
2004519065.tif 000004
2004519065.tif 000005
2004519065.tif 000006
2004519065.tif 000007
2004519065.tif 000008
2004519065.tif 000009
2004519065.tif 000010
2004519065.tif 000011
2004519065.tif 000012
2004519065.tif 000013
2004519065.tif 000014
2004519065.tif 000015
2004519065.tif 000016
2004519065.tif 000017
2004519065.tif 000018
2004519065.tif 000019
2004519065.tif 000020
2004519065.tif 000021
【国際調査報告】
2004519065.tif 000022
2004519065.tif 000023
2004519065.tif 000024
2004519065.tif 000025